(57)【要約】【課題】タイヤをホイールに簡単に取り付ける方法と、そのためにホイールリムに取り付けられるカウンタバランスウェイトを提供する。【解決手段】まず、機能的構成部品（１０，１１，１２）を収容する箇所（３）を有し、アンバランスの大きさが目標値周辺でかつアンバランスの位置が箇所（３）と対向する位置とされるホイールリム（１）を提供し、次いで、予め設定されたタイヤアンバランスを有し、タイヤアンバランスの位置と大きさが認識できるように印が付けられているタイヤ（２）を提供する。そして、機能的構成部品（１０，１１，１２）を収容する箇所（３）に、カウンタバランスウェイト構成部品（２０，２１，２２）を取り付ける。そして、タイヤ（２）のアンバランスの位置が、箇所（３）と対向する位置となるように、タイヤ（２）をホイールリム（１）に取り付ける。【選択図】図１
2007510135.tif 000002
【特許請求の範囲】
【請求項１】
ホイールリムにタイヤを取り付ける方法であって、
（工程ａ）
予め設定されているホイールリムアンバランスと、機能的構成部品（１０，１１，１２）を収容するための特別に設計された箇所（３）とを有し、ホイールリムのアンバランスの大きさが機能的構成部品（１０，１１，１２）を収容する箇所（３）と対向する位置に置かれたホイールリムの位置にて予め設定された目標値周辺の予め設定された許容誤差範囲内とされたホイールリム（１）を用意し、
（工程ｂ）
予め設定されたタイヤアンバランスを有し、かつタイヤアンバランスの位置と大きさが認識できる印が付けられたタイヤ（２）を用意し、
（工程ｃ）
機能的構成部品（１０，１１，１２）を収容する箇所（３）に取り付けることができるように設計されており、機能的構成部品（１０，１１，１２）を収容するためにホイールリム（１）に設けられた箇所（３）に取り付けることによって、タイヤ（２）のアンバランスに応じて予め設定された許容誤差範囲内の大きさのアンバランスを有してすぐに使用可能な状態のホイールリム（１）を供給するように設計されたカウンタバランスウェイト構成部品（２０，２１，２２）を用意し、
（工程ｄ）
機能的構成部品（１０，１１，１２）を収容する箇所（３）に、カウンタバランスウェイト構成部品（２０，２１，２２）を取り付け、ホイールリム（１）に対して、タイヤをホイールリムに取り付けた後にすぐに走行可能なホイールのアンバランスの大きさが予め設定された初期値未満とされるような位置関係でタイヤ（２）を取り付けることを特徴とするホイールリムにタイヤを取り付ける方法。
【請求項２】
機能的構成部品（１０，１１，１２）を収容する箇所（３）は、バルブを収容する穴であることを特徴とする請求項１に記載の方法。
【請求項３】
カウンタバランスウェイト構成部品（２０）がバルブ穴（３）にねじ留め具（３０）によって取り付けられることを特徴とする請求項２に記載の方法。
【請求項４】
バルブ穴（３）にカウンタバランスウェイト構成部品（２０）を取り付けるために穴付ねじ（３０）が使用されることを特徴とする請求項３に記載の方法。
【請求項５】
カウンタバランスウェイト構成部品（２０）がバルブ（１０）にねじ留めされることを特徴とする請求項３又は４に記載の方法。
【請求項６】
カウンタバランスウェイト構成部品（２２）がバルブ（１２）に一体に取り付けられることを特徴とする請求項２に記載の方法。
【請求項７】
カウンタバランスウェイト構成部品（２１）がクリップ連結手段（３１）によってバルブ穴（３）に取り付けられることを特徴とする請求項２に記載の方法。
【請求項８】
バルブ穴にカウンタバランスウェイト構成部品を取り付けるためのクリップ連結手段がバルブ穴にバルブを固定する機能を兼ねることを特徴とする請求項７に記載の方法。
【請求項９】
バルブ穴へのカウンタバランスウェイト構成部品の締結動作は、タイヤ圧監視システムのセンサ部品の締結動作と、機能的に一体的に行われることを特徴とする請求項２〜８のいずれか１項に記載の方法。
【請求項１０】
機能的構成部品を収容する箇所は、タイヤ圧監視システムのセンサ部品が取り付けられる箇所であることを特徴とする請求項１に記載の方法。
【請求項１１】
カウンタバランスウェイト構成部品がタイヤ圧監視システムのセンサ部品に取り付けられることを特徴とする請求項９または１０に記載の方法。
【請求項１２】
カウンタバランスウェイト構成部品がタイヤ圧監視システムのセンサ部品と一体に形成されることを特徴とする請求項１１に記載の方法。
【請求項１３】
タイヤ圧監視システムのセンサ部品は、機能を有しておらず、ダミーとして設計されることを特徴とする請求項１０〜１２のいずれか１項に記載の方法。
【請求項１４】
前記予め設定された目標値は、バルブが取り付けられて使用可能な状態とした場合におけるホイールリムの全体のアンバランスの大きさが０となるように選択されることを特徴とする請求項１〜８のいずれか１項に記載の方法。
【請求項１５】
前記予め設定された目標値は、バルブとタイヤ圧監視システムのセンサとが取り付けられて使用可能な状態とした場合におけるホイールリムの全体のアンバランスの大きさが０となるように選択されることを特徴とする請求項１〜１４のいずれか１項に記載の方法。
【請求項１６】
前記目標値周辺の予め設定された許容誤差範囲は、±１０グラム以下、好ましくは±５グラム以下、そして更に好ましくは±２グラム以下であることを特徴とする請求項１〜１５のいずれか１項に記載の方法。
【請求項１７】
前記予め設定された初期値が±１０グラム以下であることを特徴とする請求項１〜１６のいずれか１項に記載の方法
【請求項１８】
前記予め設定された初期値が５グラム以下であることを特徴とする請求項１７に記載の方法。
【請求項１９】
バルブ（１０，１１，１２）を収容する穴（３）がホイールリムハンプに設けられることを特徴とする請求項１〜１８のいずれか１項に記載の方法。
【請求項２０】
カウンタバランスウェイト構成部品（２０，２１，２２）により、タイヤ（２）をホイールリム（１）に取り付けた後にすぐに使用可能な状態となっているホイールのアンバランスが予め設定された初期値未満とされる、機能的構成部品（１０，１１，１２）を収容する箇所（３）を有したホイールリムに取り付けられるカウンタバランスウェイト構成部品であって、
上記カウンタバランスウェイト構成部品は、機能的構成部品（１０，１１，１２）を収容する箇所（３）に取り付けられる構成を有することを特徴とするカウンタバランスウェイト構成部品。
【請求項２１】
機能的構成部品（１０，１１，１２）を収容する箇所（３）がバルブを収容する穴であることを特徴とする請求項２０に記載のカウンタバランスウェイト構成部品（２０，２１，２２）。
【請求項２２】
バルブ穴（３）にねじ留め具（３０）によって取り付けられる構成を有することを特徴とする請求項２１に記載のカウンタバランスウェイト構成部品（２０）。
【請求項２３】
バルブ穴（３）に穴付ねじ（３０）によって取り付けられる構成を有することを特徴とする請求項２２に記載のカウンタバランスウェイト構成部品（２０）。
【請求項２４】
バルブ穴（３）に挿入されたバルブ（１０）にねじ留めされる構成を有することを特徴とする請求項２２又は２３に記載のカウンタバランスウェイト構成部品（２０）。
【請求項２５】
バルブ穴に挿入されて取り付けられるバルブ（１２）に一体に形成されることを特徴とする請求項２１に記載のカウンタバランスウェイト構成部品（２２）。
【請求項２６】
クリップ連結手段（３１）によりバルブ穴（３）に留められる構成を有することを特徴とする請求項２１に記載のカウンタバランスウェイト構成部品（２１）。
【請求項２７】
バルブ穴にカウンタバランスウェイト構成部品を留めるためのクリップ連結手段が、バルブをバルブ穴に固定する機能を兼ねることを特徴とする請求項２６に記載のカウンタバランスウェイト構成部品（２２）。
【請求項２８】
タイヤ圧監視システムのセンサ部品の締結動作と機能的に一体的にバルブ穴に取り付けられる構成を有することを特徴とする請求項２１〜２７のいずれか１項に記載のカウンタバランスウェイト構成部品。
【請求項２９】
機能的構成部品を収容する箇所が、タイヤ圧監視システムのセンサ部品が取り付けられる範囲であることを特徴とする請求項２０に記載のカウンタバランスウェイト構成部品。
【請求項３０】
タイヤ圧監視システムのセンサ部品に取り付ける構成を有することを特徴とする請求項２８又は２９に記載のカウンタバランスウェイト構成部品。
【請求項３１】
タイヤ圧監視システムのセンサ部品に一体に形成されることを特徴とする請求項３０に記載のカウンタバランスウェイト構成部品。
【請求項３２】
タイヤ圧監視システムのセンサ部品が機能せず、ダミーとして設計されることを特徴とする請求項２８〜３１のいずれか１項に記載のカウンタバランスウェイト構成部品。
【発明の詳細な説明】
【技術分野】
【０００１】
本発明は、ホイールリムにタイヤを取り付ける方法、及びホイールリムに取り付けられるカウンタバランスウェイトに関する。
【背景技術】
【０００２】
使用可能な状態の空気タイヤを備え、自動車に取り付けられるホイールのアンバランスは、可能な限り小さくすべきである。主たる構成部品であるホイールリムとタイヤに加えて、使用可能な状態の空気タイヤを構成するホイールの更なる構成部品は、一般的なバルブであり、近年では、自動車の運転中にタイヤ空気圧を監視するタイヤ圧監視システムのセンサが増やされている。
【０００３】
詳細に計測せずに組み立てたタイヤホイール組立品は、自動車に使用するのに不適当なホイールのアンバランスを一般的に有している。カウンタバランスウェイトは、そのようなアンバランスを相殺するために使用されている。
【０００４】
例えば、特許文献１には、タイヤがホイールリムに取り付けられた後に、ホイールに一般的なバランス調整だけを行うことが開示されている。このような場合、タイヤホイール組立品のアンバランスが測定され、カウンタバランスウェイトがバランスをとるためにホイールリムの円周状のエッジに取り付けられる。
【０００５】
カウンタバランスウェイトの要求量を減らすこと、若しくは、二次的なバランス調整工程を完全に省略するために、この特許文献１では、タイヤのアンバランスの平均値に相当するアンバランス量を予め設定されたアンバランス量として有したホイールリムを、用意することを提案している。
【０００６】
そのホイールリムには、最大ウェイト若しくは最小ウェイトの位置を示すための印が付されている。同様に、タイヤにも、これらのアンバランスの位置に関する印が付されている。
【０００７】
ホイールリムへのタイヤの取り付けでは、それぞれのアンバランスの位置が考慮に入れられ、その取り付けはホイールリムとタイヤとの特別の組み合わせによって実施され、換言すれば、すぐに使用可能な状態となっているタイヤホイール組立品の全体のアンバランスが可能な限り小さくなるように、実施される。
【０００８】
ホイールリムやタイヤ等の個々のアンバランスは、それによって相殺され、そして、そのタイヤホイール組立品に残存する全体のアンバランスは、差分であって個々のアンバランスを加算したものではない。
【０００９】
したがって、それによって、残存する全体のアンバランスを、より小さくすることができ、より小さな量のバランスウェイトによってバランスをとることができるとするものである。この手順は、マッチングと呼ばれている。
【００１０】
しかしながら、マッチングは、ホイールリムにタイヤを取り付けた後にカウンタバランスウェイトを付加的に取り付ける必要性を完全に避けるものであるが、大量生産では実用的ではなく、また、自動車産業における生産規模においても決して実行されるものではない。また、同一又はほとんど同一のアンバランス量を有するタイヤとホイールリムを倉庫に保有し、そして組み合わせの指示に応じて倉庫から選択して組み付けることは、あまりにも高価となることから、実用的な実施は、特に不可能である。
【００１１】
特許文献２には、この事実に言及され、そして、以下の提案がなされている。まず、各タイヤとホイールリムが、タイヤの振動運動の傾向を示すパラメータの値を決定することを目的とした測定の対象とされる。そして、パラメータの大きさに応じた等級をタイヤとホイールリムに割り当てて、各ホイールと各タイヤを一定のグループに分類する。そして、タイヤとホイールの個々のアンバランスが互いにキャンセルする傾向を有するグループに属するホイールとタイヤを組にする。
【００１２】
この特許文献２に記載された方法は、とても複雑かつ高価という極めて不都合な問題点を有している。大量生産で使用されているのと同様に小さなタイヤディーラにおいても、最初の装備を使用して提供されたタイヤの後に新しいタイヤを提供しなければならず、実行できないと思われる。
【００１３】
この問題を解決することを目的として、特許文献３では以下の提案がなされている。
【００１４】
アンバランスが排除された、若しくは予め設定された大きさのアンバランスが用意されたホイールの生産は、個々に、ホイールリムのために、特別な方法によって成し遂げられる。すなわち、タイヤとホイールリムの組み合わせに起因した全体のアンバランスについて二次的なバランスをとることは、可能な限り簡単に成し遂げることができる。
【００１５】
これによれば、ホイールリムは、特別なつり合い機械セクションに供給され、つり合い装置に取り付けられてホイールリムのアンバランスの位置及び大きさについて測定される。
【００１６】
それから、予め設定された型の押し下げは、機械装置によってホイールリムのつり合い機械セクションで行われる。その押し下げの位置、番号、及び寸法は、少なくとも１回の押し下げにより生産された後の、ホイールリムのアンバランスの大きさが、予め設定された目標値周辺の予め設定された許容誤差の範囲内となるように、ホイールリムのアンバランスの大きさに応じて選択される。
【００１７】
押し下げられる型は、その押し下げのために常に選択される。その選択は、ホイールリムのアンバランスの位置と大きさに応じて分類されたタイヤを取り付ける後の工程で行われる。このホイールリムは、ホイールが予め有しているアンバランスを補正することを目的として、押し下げの型に応じたカウンタバランスウェイトを収容することができる。
【００１８】
この既に知られている発想は、ホイールを組み立てる方法も提供している。このホイールのホイールリムは、アンバランスの大きさが予め設定された目標値の許容誤差範囲内に入っており、上述のつり合い機械セクションに設けられている機械加工エリアにて、予め設定された型を備えた押し下げを有している。
【００１９】
特別なタイヤアンバランスを有するタイヤであって、タイヤアンバランスの位置と大きさを決定することを可能とするタイヤマーキングを有しているタイヤは、組立工程のために提供される。
【００２０】
予め設定された型に応じたカウンタバランスウェイトは、ホイールタイヤ組立品のアンバランスを除去するために押し下げられるものであり、そのカウンタバランスウェイトは、タイヤを考慮して選択され、そして、押し下げにより取り付けられる。
【００２１】
その後、タイヤは、ホイールリムの所定箇所に取り付けられ、ホイールリムにタイヤを取り付けた後の、ホイールのアンバランスの大きさが、予め設定された初期値未満とされる。
【００２２】
【特許文献１】ＵＳ５２７１６６３
【特許文献２】ＷＯ９２／０１９１８ Ａ１
【特許文献３】ＤＥ１０２２８１６４ Ｃ１
【発明の開示】
【発明が解決しようとする課題】
【００２３】
しかしながら、特許文献３に記載された方法は、タイヤ生産工程の間にタイヤのアンバランスの大きさを測定することが品質管理のために、とにかく必要であるという事実も考慮に入れなければならない。したがって、タイヤのアンバランスの排除の間、受納しがたい高度な操作費用を導かないでアンバランスの位置と大きさを示す印を提供することは、大量生産では特に実効性がない。
【００２４】
更に、ホイールリムの生産工程の間に、アンバランスの大きさを測定するだけでなく、アンバランスの排除も比較的簡単に行うという事実のために、機械加工がとにかく必要であることも考慮に入れなければならない。
【００２５】
本発明の基本的な目的は、特許文献３によって知られているよりも更に簡単にホイールリムにタイヤを取り付ける方法である。そして、ホイールリムに取り付けられるカウンタバランスウェイト構成部品を提供することである。
【課題を解決するための手段】
【００２６】
この目的を達成するための課題解決策は、請求項１と請求項２０によって与えられている。そして、発明の好ましい具体例は、従属項に限定されている。
【発明を実施するための最良の形態】
【００２７】
本発明によるホイールリムにタイヤを取り付ける方法は、まず第一に、予め設定されたホイールリムアンバランスと、機能的構成部品を収容するために特別に設計された位置とを備えたホイールリムを用意する工程を含む。
【００２８】
そのような機能的構成部品は、例えば、バルブ、又はタイヤ圧監視システムのセンサその他の構成部品である。機能的構成部品を収容するために特別に設計された箇所は、例えばバルブを収容するためのホイールリムの穴や、タイヤ圧監視システムのセンサその他の構成部品を取り付けるために特別に設計された位置とすることができる。
【００２９】
ホイールリムのアンバランスの大きさは、予め設定された目標値周辺の予め設定された誤差範囲内に入っている。そして、そのホイールリムのアンバランスの位置は、機能的構成部品を受け入れるために特別に設計された位置と対向する位置、例えばバルブを収容するための穴と対向する位置に配置されている。
【００３０】
次の工程では、特定のタイヤアンバランスを有しているタイヤを用意する。そのタイヤは、タイヤアンバランスの位置と大きさを認めるのに役立つ印を有している。
【００３１】
更にカウンタバランスウェイト構成部品を用意する。そのカウンタバランスウェイト構成部品は、機能的構成部品を受け入れるために特別に設計された箇所に取り付けることができるように、すなわち、例えば、バルブを収容するためのホイールリムの穴に取り付けることができるように設計されている。
【００３２】
そのカウンタバランスウェイト構成部品は、ホイールリムの上述の箇所に取り付けられた後のホイールリムのアンバランスの大きさが、タイヤアンバランスの予め設定された許容範囲にある、すぐに取付可能な状態のホイールリムを提供するものが選択される。
【００３３】
このカウンタバランスウェイト構成部品は、機能的構成部品を収容するために特別に設計された箇所に、すなわち、例えば、バルブを収容するためのホイールリムの穴に取り付けられる。そして、タイヤは、タイヤのアンバランスの位置が機能的構成部品を収容するために特別に設計された位置と対向する位置、すなわち例えばホイールリムのバルブ穴と対向する位置となるようにホイールリムに取り付けられる。
【００３４】
その結果、ホイールリムにタイヤを取り付けた後のすぐに取付可能なホイールのアンバランスは、予め設定された初期値未満の大きさとなる。
【００３５】
特許文献３によって知られた方法に従うのと同様に、ホイールリムは、後の方法によって準備される。後の方法とは、すなわちホイールリムにタイヤを取り付けるよりも先に、カウンタバランスウェイト構成部品が選択されてホイールリムが取り付けられる。そのカウンタバランスウェイト構成部品は、すぐに使用可能な状態のタイヤホイール組立品が、できるだけ完全にバランス調整されており、換言すれば、すぐに取付可能なホイールのアンバランスの大きさをほとんど０にするという効果を有しているものが選択される。
【００３６】
技術の熟練した人は、バルブやタイヤ圧監視システムのセンサその他の構成部品を含む、すぐに取付可能なホイールの全ての構成部品の接続を考慮に入れなければならないということを、理解する。
【００３７】
したがって、本発明によれば、特別なバルブの型と、可能な場面として、タイヤ圧監視システムの構成部品は、予め設定された標準の質量を有しており、これらの質量は、ホイールリムの生産において既に考慮に入れられている。
【００３８】
これは、例えば、バルブやタイヤ圧監視システムのセンサその他の構成部品のような全ての構成部品を取り付けた後のホイールリムがほとんど完璧なバランスを有するようなアンバランスを、ホイールリム単体が有していることを意味する。
【００３９】
タイヤを取り付ける前に、別の方法ですぐに取付可能なホイールに行うことは、タイヤのアンバランスに応じたカウンタバランスウェイト構成部品をホイールリムに取り付けることだけである。また、標準の質量を有している上述の機能的構成部品の一つを、カウンタバランスウェイト構成部品に要求される質量分だけ増加させたものに代えてもよい。
【００４０】
特許文献３によって知られた方法の場合よりも他には、本発明に応じた方法を使用したときに、カウンタバランスウェイト構成部品を取り付けることを目的としてホイールリムのつりあい機械セクションで押し下げを付加する必要がない。なぜならば、カウンタバランスウェイト構成部品の取り付けは、機能的構成部品を収容するために特別に設計された位置、すなわち、例えば、バルブを収容するための穴になされているからである。
【００４１】
換言すれば、カウンタバランスウェイト構成部品の取り付けは、機能的構成部品を収容するために、どのようにでも作成された位置になされているからである。
【００４２】
更に、通常のカウンタバランスウェイトが取り付けられる領域内におけるホイールリムへの機械加工は、つり合い機械セクションでの供給に関して更にそれ以上必要とされるものはなく、成し遂げることができる。これは一般に、要求される仕事を減少させる。
【００４３】
発明の一つの具体例によれば、カウンタバランスウェイト構成部品は、穴付ネジを使用してバルブにネジ止めすることができる。したがって、そのバルブは、対応するネジ穴を有している。
【００４４】
何ら問題なしにネジ穴に供給することができる金属製バルブの代わりに、ゴム製バルブを使用する場合には、好ましいネジブッシュを使用することが推奨される。カウンタバランスウェイト構成部品を、バルブかタイヤ圧監視システムのセンサのいずれか一方に取り付けることも更に可能である。
【００４５】
或いは、カウンタバランスウェイト構成部品を個々に取り付ける必要がなく、バルブ又はセンサと一体の部品として形成することができるように、上述の機能的構成部品を可変的な大きさに提供することも可能である。
【００４６】
本発明の更に進んだ具体例によれば、好ましくは金属製のブラケット又はクリップがバルブに取り付けられる。このクリップは、カウンタバランスウェイト構成部品の締結具として使用することができる。
【００４７】
例えば仮に、上述のクリップを含む全ての機能的構成部品を有するホイールリムが提供されており、ほとんど完全にバランスがとられている場合、タイヤ取付後のホイールのアンバランスの全体の大きさを初期値未満にするためには、上述のタイヤ取付前に、タイヤバランスの大きさに応じたカウンタバランスウェイト構成部品をクリップに取り付けるだけでよい。
【００４８】
このような具体例は、タイヤ交換では、カウンタバランスウェイト構成部品を取り外すだけでよく、換言すれば、クリップから取り外すだけでよく、そして、新しく取り付けられるタイヤのアンバランスの大きさに応じた新しいカウンタバランスウェイト構成部品を取り付けるだけでよいという有利性を提供する。
【００４９】
技術の熟練した人は、機能的構成部品を収容する位置にカウンタバランスウェイト構成部品を取り付けることについて、種々の選択肢を有する。
【００５０】
カウンタバランスウェイト構成部品への取り付けは、ホイールリムの上述の箇所に直接に、若しくは、例えばネジのような適切な接続手段、例えば穴付ネジによって行うことができ、また、クリップ連結手段により、上述の機能的構成部品に個々に行ってもよい。
【００５１】
更に、カウンタバランスウェイト構成部品は、個々の機能的構成部品と一体部品とすることができ、例えば、例えば異なる重量級のバルブやセンサを供給すること、又は、種々の重量級の、機能しないセンサ、いわゆるダミーを供給することもできる。
【００５２】
原則として、カウンタバランスウェイト構成部品は、どのような材料からも作ることができる。好ましくは、金属、特に、鋼が使用される。
【００５３】
取付方法の基礎を形成し、取り付けの好ましい位置は、すなわち、ホイールリムの内側である。可能な限り小さい体積で可能な限り高い質量を提供する重金属、例えば鉛等を使用することは必要ではない。そのような重金属は、ほとんど自然環境に優しくないか、全く自然環境に優しくないからである。
【００５４】
本発明は、次に述べる好ましい具体例について図面に基づき更に説明される。
【００５５】
図１は、部分的に切断されたホイールの説明図である。図２は、図１に示すホイールの断面図である。図３は、バルブの部分、及び関連している構成部品の部分におけるホイールリムの一部の断面図である。図４は、バルブの具体例を示す図である。
【００５６】
図１は、タイヤ２が取り付けられたホイールリム１の部分の概要を示す。バルブ１０は、図２に詳細に示すように、バルブ穴３に供給されている。カウンタバランスウェイト構成部品２０は、バルブ１０に取り付けられており、穴付ネジ３０を介してネジ留めされている。更に、機械加工面５は、図１に示すように、ホイールリムのハンプ部分に示されている。
【００５７】
バルブ１０は、本発明の手段の機能的構成部品を意味する。バルブ穴３は、本発明の手段の機能的構成部品を収容するための箇所を意味する。
【００５８】
更に、本発明の手段の機能的構成部品は、例えば図示していないタイヤ圧監視システムのセンサとすることができる。
【００５９】
例えばバルブやタイヤ等のような更なる構成部品が提供されていないホイールリム１は、バルブ穴３と対向する位置に、予め設定された目標値周辺の許容誤差範囲内の大きさを有したアンバランスを有している。この目標値は、バルブ１０とネジ３０の重量に相当している。
【００６０】
もし必要であるならば、対応した量の機械加工を、ホイールリムの好ましい位置、例えば、目標に定めたアンバランスを提供することを目的として、機械加工面５に示す箇所に施してもよい。
【００６１】
そのようなホイールリム１の上記目標に定められたアンバランスは、以下のように決定される。すなわち、ホイールリム１は、バルブ１０が提供されると共に、タイヤ２を取り付けることから除かれてすぐに使用可能な状態となっている場合に、０の値周辺の予め設定された許容誤差範囲内の大きさを有したアンバランスを含むように決定される。換言すれば、ホイールリムは、全ての機能的構成部品を取り付けたときにほとんどアンバランスがないように製造される。
【００６２】
タイヤ２は、タイヤ２のアンバランスの位置と大きさに応じて分類されている。そして、そのタイヤアンバランスの位置と大きさを認めることができるように印や表示がなされている。
【００６３】
例えば、もしタイヤ２が３０グラムのアンバランスを有しているならば、ホイールリムハンプの範囲におけるバルブ穴３の区域に関して、３０グラムの重さを有するカウンタバランスウェイト構成部品２０が選択される。このカウンタバランスウェイト構成部品２０は、穴付ネジ３０によってバルブ１０にネジ留めされる。
【００６４】
その後、タイヤ２は、タイヤの３０グラムのアンバランスの位置がバルブ穴と対向する位置とするように、ホイールリム１に取り付けられる。その結果、タイヤ２のアンバランスとホイールリム１のアンバランスは、カウンタバランスウェイト構成部品２０によって互いに相殺される。そして、予め設定された初期値の許容誤差範囲内で完全に釣り合いがとれて、すぐに使用可能な状態のホイールが提供される。
【００６５】
図３には、カウンタバランスウェイト構成部品２１の代替え具体例が示されている。カウンタバランスウェイト構成部品２１は、相応して設計されてホイールリム１のバルブ穴３に挿入されているバルブ１１に、クリップ３１によって取り付けられる。
【００６６】
図４には、カウンタバランスウェイト構成部品２２が取り付けられたバルブ１２が示されている。そして、それは同じ材料から作られて一体部品として形成されている。
【００６７】
実線ＩＩ、及び、破線として示される選択可能な外形線Ｉ、IIIによって示されるように、ウェイトのためだけに与えられるバルブ１２の上部の部分は、本発明のアンバランス補正手段として提供することを目的として種々の寸法に形成される。
【図面の簡単な説明】
【００６８】
【図１】部分的に切り取られたホイールの説明図である。
【図２】図１に示すホイールの断面図である。
【図３】バルブの領域、及び関連している構成部品の部分におけるホイールリムの一部の断面図である。
【図４】バルブの具体例を示す図である。
【符号の説明】
【００６９】
１  ホイールリム
２  タイヤ
３  バルブ穴（箇所）
５  機械加工面
１０、１１、１２  バルブ
２０、２１、２２  カウンタバランスウェイト構成部品
３０  穴付ネジ（ネジ留め具）
３１  クリップ（クリップ連結手段）
【図１】
2007510135.tif 000003
【図２】
2007510135.tif 000004
【図３】
2007510135.tif 000005
【図４】
2007510135.tif 000006
【国際調査報告】
2007510135.tif 000007
2007510135.tif 000008
2007510135.tif 000009
2007510135.tif 000010
2007510135.tif 000011
2007510135.tif 000012